(57)【要約】【課題】  金属感が現れて、且つ、ソーラーセルの濃紫色が見えない時計用表示板を提供する。【解決手段】  光透過性基板１と開口部２ａを設けた金属板２と透過性反射板３とで時計用表示板１０を構成し、光透過性基板１または開口部２ａを設けた金属板２のいずれか一方を最上位に、透過性反射板３を最下位に配設する構造にする。光透過性基板１は樹脂やガラスから形成し、模様や指標１ｄなどを設け、金属板２には模様やメッキなどを施して装飾性を高めると共に金属感を出させる。また、金属板２に開口部２aを設けて、この開口部２ａから採光すると共に、開口部２ａの形状を種々変えることによりデザインバリエーションを広げる。また、透過性反射板３を設けてソーラーセル９の濃紫色を和らげて濃紫色色調を消し去り、見えないようにする。【選択図】        図１
2006220516.tif 000002
【特許請求の範囲】
【請求項１】
時計用の表示板であって、該表示板は、光透過性基板と、開口部（透光性）を有する金属板と、透過性反射板とから構成され、前記光透過性基板と前記金属板のどちらか一方が最上位に位置し、透過性反射板が最下位に位置していることを特徴とする時計用表示板。
【請求項２】
前記光透過性基板は、樹脂、ガラス、サファイヤガラス、セラミックの中の少なくとも一つからなることを特徴とする請求項１に記載の時計用表示板。
【請求項３】
前記光透過性基板には、模様、数字、文字、マークの中の少なくとも一つが設けられていることを特徴とする請求項１または請求項２に記載の時計用表示板。
【請求項４】
前記光透過性基板は、カラー化されていることを特徴とする請求項１または請求項２に記載の時計用表示板。
【請求項５】
前記金属板は、表面に模様、数字、文字、マークの中の少なくとも一つが設けられていることを特徴とする請求項１に記載の時計用表示板。
【請求項６】
前記金属板は、表面に設けた模様、数字、文字、マークの中の少なくとも一つが開口部からできていることを特徴とする請求項１または請求項５に記載の時計用表示板。
【請求項７】
前記金属板は、湿式メッキ被膜、乾式メッキ被膜、印刷被膜、塗装被膜の中の少なくとも一つが施されていることを特徴とする請求項１、５、６のいずれか１項に記載の時計用表示板。
【請求項８】
前記透過性反射板は、入射光の一部を透過し、残りの光を反射することを特徴とする請求項１に記載の時計用表示板。
【請求項９】
前記表示板が、前記光透過性基板、前記金属板、前記透過性反射板の順で積層され、前記光透過性基板の下面、もしくは前記金属板の上面に拡散層が設けられていることを特徴とする請求項１乃至８のいずれか１項に記載の時計用表示板。
【請求項１０】
前記表示板が、前記金属板、前記光透過性基板、前記透過性反射板の順で積層され、前記光透過性基板の上面または下面、もしくは前記透過性反射板の上面に拡散層が設けられていることを特徴とする請求項１乃至８のいずれか１項に記載の時計用表示板。
【請求項１１】
前記金属板は、金属板の表面または裏面の少なくとも一面に拡散層が設けられていることを特徴とする請求項１、請求項５乃至７のいずれか１項に記載の時計用表示板。
【請求項１２】
前記透過性反射板は、透過性反射板の裏面に拡散層が設けられていることを特徴とする請求項１または請求項８に記載の時計用表示板。
【請求項１３】
前記表示板の総厚は、２００μｍ〜１１００μｍで、それぞれの厚さが、光透過性基板が１００μｍ〜４００μｍ、金属板が５０μｍ〜４００μｍ、透過性反射板が５０μｍ〜３００μｍであることを特徴とする請求項１乃至１２のいずれか１項に記載の時計用表示板。
【発明の詳細な説明】
【技術分野】
【０００１】
本発明は、ソーラーセル、エレクトロルミネッセンス等を有する時計の表示板に関するものである。
【背景技術】
【０００２】
従来の太陽電池付時計の一般的な構造は、多くの発電効率を得るために、表示板の裏面に太陽電池を配置していた。表示板は太陽光を透過させるため、少なくとも半透過性であることが必要であり、材料が限定されると同時に、表示板を通して太陽電池本来の濃紫色の色調が視認され、外観品質を損なうという問題があった。
【０００３】
しかし、これらの問題点に鑑み公知の太陽電池付時計に使用されている表示板の第１例として、下記の特許文献１に開示された技術の表示板を見ることができる。この特許文献１に示された表示板は、光が透過可能な樹脂基板の表面に金属薄膜を形成し、表示板の下側に配置されているソーラーセルの外部からの視認を妨げるとともに、ソーラーセルの発電を少なくとも生じせしめる光透過率を有するものとなっている。
【０００４】
また、上記第１例より更に金属質感を出している表示板の第２例として、下記の特許文献２に開示された技術の表示板を見ることができる。この特許文献２に示された表示板は、樹脂などからなる光透過型表示板の上に、数字等の装飾部に孔をあけた金属板を積層し、表示板の下側に配置されているソーラーセルの外部からの視認を妨げるとともに、ソーラーセルの発電を少なくとも生じせしめる光透過率を持ち、更に、金属質感もだしているものである。
【０００５】
【特許文献１】ＷＯ９８／５３３７３号公報
【特許文献２】ＷＯ９５／２７２３４号公報
【発明の開示】
【発明が解決しようとする課題】
【０００６】
しかしながら、上記した特許文献１に開示されている時計用表示板は、表示板の下面に配置されているソーラーセルの視認を妨げているが、金属薄膜で表示装飾を表すものとなっているので、表示装飾に立体感が欠けたものとなり、また、金属質感にもやや欠けるものとなっていた。また、特許文献２に開示されている時計用表示板は、立体感及び金属質感を有しているが、表示板の下面に配置されているソーラーセルの視認を完全に妨げることができず、通常の金属文字板より外観品質が劣っていた。更に、上記２例の表示板は、共に上記に述べた問題点からデザインバリエーションの拡大を図ることができなかった。
【０００７】
本発明は、上記問題点を解決し、表示板の下面に配置されているソーラーセルの視認を妨げると共に、光の一部を効率良くソーラーセルに導き入れ、更に、立体感と金属質感を持たせ、模様、色等を自由に組合わせることによりデザインバリエーションの拡大が図れる時計用表示板を提供することにある。
【課題を解決するための手段】
【０００８】
上記の課題を解決するための手段として、本発明の請求項１に記載の時計用表示板は、時計用の表示板であって、該表示板は、光透過性基板と、開口部（透光性）を有する金属板と、透過性反射板とから構成され、前記光透過性基板と前記金属板のどちらか一方が最上位に位置し、透過性反射板が最下位に位置していることを特徴とするものである。
【０００９】
また、本発明の請求項２に記載の時計用表示板は、前記光透過性基板は、樹脂、ガラス、サファイヤガラス、セラミックの中の少なくとも一つからなることを特徴とするものである。
【００１０】
また、本発明の請求項３に記載の時計用表示板は、前記光透過性基板には、模様、数字、文字、マークの中の少なくとも一つが設けられていることを特徴とするものである。
【００１１】
また、本発明の請求項４に記載の時計用表示板は、前記光透過性基板は、カラー化されていることを特徴とするものである。
【００１２】
また、本発明の請求項５に記載の時計用表示板は、前記金属板は、表面に模様、数字、文字、マークの中の少なくとも一つが設けられていることを特徴とするものである。
【００１３】
また、本発明の請求項６に記載の時計用表示板は、前記金属板は、表面に設けた模様、数字、文字、マークの中の少なくとも一つが開口部からできていることを特徴とするものである。
【００１４】
また、本発明の請求項７に記載の時計用表示板は、前記金属板は、湿式メッキ被膜、乾式メッキ被膜、印刷被膜、塗装被膜の中の少なくとも一つが施されていることを特徴とするものである。
【００１５】
また、本発明の請求項８に記載の時計用表示板は、前記透過性反射板は、入射光の一部を透過し、残りの光を反射することを特徴とするものである。
【００１６】
また、本発明の請求項９に記載の時計用表示板は、前記表示板が、前記光透過性基板、前記金属板、前記透過性反射板の順で積層され、前記光透過性基板の下面、もしくは前記金属板の上面に拡散層が設けられていることを特徴とするものである。
【００１７】
また、本発明の請求項１０に記載の時計用表示板は、前記表示板が、前記金属板、前記光透過性基板、前記透過性反射板の順で積層され、前記光透過性基板の上面または下面、もしくは前記透過性反射板の上面に拡散層が設けられていることを特徴とするものである。
【００１８】
また、本発明の請求項１１に記載の時計用表示板は、前記金属板は、金属板の表面または裏面の少なくとも一面に拡散層が設けられていることを特徴とするものである。
【００１９】
また、本発明の請求項１２に記載の時計用表示板は、前記透過性反射板は、透過性反射板の裏面に拡散層が設けられていることを特徴とするものである。
【００２０】
また、本発明の請求項１３に記載の時計用表示板は、前記表示板の総厚は、２００μｍ〜１１００μｍで、それぞれの厚さが、光透過性基板が１００μｍ〜４００μｍ、金属板が５０μｍ〜４００μｍ、透過性反射板が５０μｍ〜３００μｍであることを特徴とするものである。
【発明の効果】
【００２１】
発明の効果として、本発明の時計用表示板は光透過性基板と、開口部（透光性）を有する金属板と、透過性反射板とを積層した３層構造を取る。そして、金属板の開口部からソーラーセルの発電に必要とする光量を採光する。従って、発電に必要とする採光量の下でソーラーセルに発電を起こさせる。また、最下層に請求項８に記載の如くの透過性反射板を備えていることからソーラーセルからの反射光も少なくなり金属板のさほど大きくない開口部からはソーラーセルの濃紫色色調は殆ど視認することができない。また、金属板は目付などの模様付けができ、十分金属感を出現させることができる。更に、金属板上に請求項２に記載の如くの光透過性基板が備えられていることから、金属板の表面に請求項５に記載の如くの装飾が施されていると、その装飾に沈み感を持った重厚さが現れて高級感が現れる。また、請求項６に記載の如く、開口部を模様や数字、文字、マークなどの指標の少なくとも一つから形成すると開口部自体が装飾模様などを成して開口部の存在を目立たなくし、装飾性を高める。また、開口部を色々な形状を取ることでデザインバリエーションが広がる。
【００２２】
また、請求項３に記載の如く光透過性基板に模様、数字、文字、マークを設けたり、請求項４に記載の如く透過性基板にカラー着色を施したりすることによって、装飾性と機能性を高めた表示装飾が得られる。また、カラー着色はソーラーセルの濃紫色を尚一層見えなくさせる働きもなす。また、請求項５に記載の如く、金属板の表面に模様、数字、文字、マークなどを形成し、そして、請求項６に記載の如く、それらの少なくとも一つを開口部にし、更に、請求項８に記載の如く、金属板に湿式メッキ被膜、乾式メッキ被膜、印刷被膜などを設けたりすることによって表示板の装飾性が非常に高められる。そして、これらの組み合わせなどによりデザインバリエーションが幅広く拡大することができる。
【００２３】
また、請求項９、１１に記載の発明の下では、金属板の上面側に拡散層が設けられる。従って、金属板から反射する光は拡散層によって拡散され、光沢性は消し去られて艶消し状態の金属色が得られる。そして、艶消しの表示板には落着感が現れる。また、ソーラーセルの反射光で開口部から出射する光に拡散が起き、ソーラーセルの濃紫色及び十字線の色調を和らげる働きが生まれ、濃紫色及び十字線を目立たなくさせる。
【００２４】
また、請求項１０、１１、１２に記載の発明の下では、金属板の下面側に拡散層が設けられる。従って、ソーラーセルの反射光で開口部から出射する光に拡散が起き、ソーラーセルの濃紫色及び十字線の色調を和らげる働きが生まれ、濃紫色及び十字線を目立たなくさせる。また同時に、拡散層によって拡散された光の一部が再びソーラーセルに広い範囲で入射する。これにより、ソーラーセルへの入射光量が増え、効率的に発電量を増やす効果を生む。
【００２５】
また、請求項１３に記載の如く、表示板の総厚を２００μｍ〜１１００μｍの間で作ることにより、一般の時計すべてに使用することが可能となる。また、その中にあって、光透過性基板が１００μｍ〜４００μｍ、金属板が５０μｍ〜４００μｍ、光透過性基板が５０μｍ〜３００μｍ厚とすることによってそれぞれの製造も容易で、且つ、安価に製造できる効果を得る。
【発明を実施するための最良の形態】
【００２６】
以下、本発明の時計用表示板を実施するための最良の形態を図１を用いて説明する。尚、図１は本発明の実施形態に係る時計用表示板の平面図と断面図を示すもので、図１の（ａ）は平面図、図１の（ｂ）は図１の（ａ）における要部断面図を示している。本発明の実施形態に係る時計用表示板１０は、ソーラーセル付時計に用いられる表示板で、図１に示すように、光透過性基板１と、開口部２ａを有する金属板２と、透過性反射板３とで構成されていて、これらの３つの構成部品が接着剤を介して一体になった構造を取っているもの、また、接着剤を使わずに、ソーラーセル９やムーブメントを位置決め固定する支持枠や中枠に、この３つの構成部品を重ねて位置決め固定した構造のものもある。また、表示板１０はその中心に指針取付け用の小穴１０ｃを持っている。そして、ソーラーセル９の上面側に配設して用いられる。図１においては、ソーラーセル９と表示板１０とに僅かな隙間を持たせて描いてあるが、隙間なく重ねて配置しても全く支障はない。
【００２７】
光透過性基板１は透明な樹脂やガラス、サファイヤガラス、セラミックなどから形成され、その上面は平滑面になっており、所定の位置に時字を示す指標１ｄが設けられている。この指標１ｄは金属指標の貼付け方法や樹脂インクを用いての印刷方法などで形成する。本実施形態では、指標１ｄを棒状のマーク形状で示したが、ローマ数字やアラビア数字などで形成しても良い。また、この光透過性基板１には、時字を示すマーク以外の、例えば、ブランド名のマークであるとか、ロゴマークであるとかのマークなども設けることができる。また、装飾性を豊かにするために模様などを印刷して設けても良く、基板自体をカラー着色しても良い。模様やカラー着色などを施すと、装飾性が豊かになると同時に、それらの色調によってソーラーセル９の濃紫色が和らげられる効果も生まれる。この光透過性基板１を樹脂で形成する場合は、密着性や表面処理性、耐熱性、耐湿性などに優れた材料を用いるのが望ましく、これらの材料としてはポリカーボネイト樹脂、ポリエチレン樹脂、ポリプロピレン樹脂、ポリスチレン樹脂、ポリエチレンテレフタレート樹脂、アクリル樹脂などをあげることができる。また、光透過性基板１をガラスで形成する場合は、ソーダガラス、石英ガラス、ホウケイ酸ガラス、アルカリガラス、普通板ガラス、サファイヤガラスなどを用いることができる。また、光透過性基板１をセラミックで形成する場合は、純度の高いアルミナ（Ａｌ２Ｏ３）などによるセラミック基板を用いることができる。そして、この光透過性基板１の厚みは１００〜４００μｍの厚みのものを使用する。
【００２８】
開口部２ａを有する金属板２は、黄銅板やリン青銅板、ステンレス板、洋白板などの金属板に開口部２ａを設けたものからなる。開口部２ａは光を透過する部分で、本実施形態では放射目模様状に長穴形状で形成しているが、この形状には限るものではなく、ストライプ模様状や格子模様状などの他の模様状に形成しても良い。また、数字や文字、或いはマークなどの形状を用いて開口部を設けても良く、また、これらの形状を組み合わせて開口部を設けても良い。この開口部２ａは、ソーラーセル９への採光目的で設けるもので、表示板を３時−９時ラインと６時−１２時ラインとで４分割したときに、各分割領域での開口部の面積が同じ位になるよう設けるとソーラーセルの発電効率を高める効果を得る。この開口部２ａの総面積は光の透過率を規制するものなので、ある一定の面積が必要とされる。近年のソーラーセルは光電変換効率も向上しており、透過率が１５％位で十分満足する発電量が得られるのが現れてきている。従って、光透過率が少なくとも１５％得られるように開口部の面積を設定する必要がある。この開口部２ａはプレス抜き方法やエッチング方法などで形成する。この金属板２は５０〜４００μｍの厚みのものを使用するが、厚みが薄い場合や開口部の形状が複雑な場合はエッチング方法で形成する。例えば、黄銅板を使用した場合は、開口部２ａ以外の部分にマスキングを施し、塩化第二鉄水溶液（４０°〜６０°Ｃに加温）を用いてエッチングを行い、開口部を形成する。金属板２の厚みが厚い場合はプレス抜きが有効である。
【００２９】
また、金属板２は、表示板としての装飾的役割を持つものでもあるので、その上面２ｂに微小な凹凸を持った旭光模様やストライプ状の筋目模様、梨地模様などを設けている。そして更に、その上にニッケル、アルミニウム、クロム、銀、パラジウム、ロジウム、金などの金属メッキを施している。金属板２に模様やメッキなどを施すことにより装飾性に豊んで貴金属感が現れた高級感のする表示板が得られる。また、この表示板２には、数字や文字、マークなどによる指標を設けて表示板の機能的表示をさせることもできる。
【００３０】
透過性反射板３は光透過性と反射性の両方の機能を持ったもので、ポリエチレンテレフタレート樹脂フィルムやポリイミド樹脂フィルムなどの樹脂フィルムに真空蒸着方法、スパッタリング方法、イオンプレーティング方法などによる乾式メッキ方法で金属薄膜を形成して透過性と反射性の両方の機能を持たせたフィルム板や反射型偏光板などを透過性反射板として用いることができる。乾式メッキ方法で金属薄膜を形成した透過性反射板は金属膜の膜厚を変えることにより自由に光透過率を設定することができる。この透過性反射板３はソーラーセル９の濃紫色を強く見えなくするために設けるもので、ソーラーセル９からの反射光で表示面側へ透過して出射する光を減らすと共に、透過性反射板３の持っている色調で濃紫色を和らげるために設けるものである。透過性反射板３の色調は金属板２の色調と同系色の色調を選択するのが好ましい。同系色であると開口部２ａの存在を目立たなくなり、違和感を感じさせないようになる。金属板２の開口部２ａから入射した光はこの透過性反射板３を透過してソーラーセルに入射する。しかしながら反面、この透過性反射板３によって反射される光も現れるのでその透過率は減少する。従って、この透過性反射板３の透過率も考慮した中で金属板２の開口部２ａの大きさ、面積を設定するようにする。この透過性反射板３の厚みは５０〜３００μｍの厚みのものを使用する。
【００３１】
本発明の実施形態に係る時計用表示板１０は、指標１ｄを設けた透明な光透過性基板１の下面に開口部２ａを有し模様やメッキなどを施した金属板２を設け、更に、金属板２の下面に透過性反射板３を積層した構成を取っている。模様やメッキなどを施した金属板２によって装飾性に富んだ金属感の現れた表示板が得られる。また、金属板２上に透明な光透過性基板１を設けてあることから金属板２の模様などに沈み感を伴っての重厚さが現れ、高級感をもたらしめる。また、光透過性基板１に設けた指標１ａに立体感を感じさせる。また、透過性反射板３を金属板２と同系色で形成していることから金属板２に設けた開口部２ａの存在が目立たなくなる。また、ソーラーセル９の濃紫色は透過性反射板３の作用を受けて殆ど視認されない状態になる。そして、金属板２の開口部２ａから採光した光でソーラーセルに満足した発電量を起こさせる。
【００３２】
ここで、本発明の時計用表示板１０を構成するところの光透過性基板１は１００〜４００μｍの範囲の厚みを設定し、金属板２は５０〜４００μｍの範囲の厚みに設定し、透過性反射板３は５０〜３００μｍの範囲の厚みに設定している。そして、表示板１０の厚みを２００〜１１００μｍの範囲の厚みに設定している。表示板１０が２００μｍより薄くなると可撓性が現れると共に、腰が弱くなって折れ曲がりであるとか、破損などが生じ易くなり機能上の問題が発生し易くなる。また、厚みの１１００μｍは一般の全ての携帯時計に組み込みができる最大の値で、これ以上大きくなると組み込みのできない時計が現れる。ここで、光透過性基板１の１００〜４００μｍの範囲の厚み、金属板２の５０〜４００μｍの範囲の厚み、透過性反射板３の５０〜３００μｍの範囲の厚みは、表示板１０の２００〜１１００μｍの範囲の厚みを考慮するものではあるが、更に、取扱容易性、加工性、加工による変形性などを考慮して設定している。例えば、光透過性基板１について云えば、１００μｍより薄くなると樹脂フィルムに弾力性がなくなり、容易な取扱いが出来なくなること、印刷作業や切断作業が難しくなること、金属板２に形成した模様などが沈んで見える具合性や光透過性基板１の上面に設けた指標などの立体感的視認性などが悪くなること、などの問題が現れる。また、４００μｍより厚くなると光透過性基板１の上面に設けた指標と金属板２とに間隔が大きくなり視差などが現れて外観的品質を悪くすると云う問題も生じる。また、金属板２について云えば、５０μｍより薄くなると剛性がなくなり加工取扱が悪くなると共に、プレスなどの加工性も悪くなること、加工変形が現れること、などの問題が現れる。また、透過性反射板３について云えば、５０μｍより薄くなると弾力性がなくなって容易な取扱いが出来なくなることや乾式メッキ作業や切断作業が難しくなることなどの問題が生まれる。また、厚くなると透過性を下げる要因になり好ましくない。
【実施例１】
【００３３】
最初に、本発明の実施例１に係る時計用表示板について図２、図３を用いて説明する。図２は本発明の実施例１に係る時計用表示板の平面図と断面図を示しており、図２の（ａ）は平面図、図２の（ｂ）は要部断面図を示している。また、図３は図２の（ｂ）における透過性反射板の斜視図を示している。
【００３４】
本発明の実施例１に係る時計用表示板２０は、図２に示すように、透明な光透過性基板１１と開口部１２ａを設けた金属板１２と透過性反射板１３とを積層して接着剤を介して貼合わせた構造を取っている。尚、図示はしていないが表示板２０の下面側にはソーラーセルが配設されている。ここでの光透過性基板１１は、２５０μｍ厚みの透明なポリカーボネイト樹脂の板から形成しており、平滑な上面の外周周縁に沿って切分目盛り１１ｅを棒マーク形状に設けている。この切分目盛り１１ｅは光透過性基板１１の上面に黒色インクを用いてパッド印刷方法などで形成している。
【００３５】
金属板１２は１００μｍ厚みの黄銅板または洋白板、リン青銅板を用い、エッチング方法で外周部にＩ、ＩＩ、ＩＩＩ、・・・からなるローマ数字での時字を示す開口部１２ａを設けている。また、上面１２ｂには微小な凹凸での旭光目付を施して旭光模様を形成し、下面１２ｃには微小な凹凸での梨地を全面に施して梨地模様を形成している。そして更に、全面に電解メッキによる銀メッキを施し、更にその上をクリヤー塗膜で覆っている。金属板１２の上面１２ｂに形成した旭光模様は装飾性を高めるために設けている。また、下面１２ｃに形成した梨地は光拡散目的で設けるもので、この梨地の面をもって拡散層を成している。この梨地の表面には電解メッキによるニッケルメッキを施し、金属板１２の防錆や光拡散性の向上を図っている。銀メッキはシルバー色の貴金属感を出すために設けており、クリヤー塗膜は防錆及び変色防止目的である。開口部１２ａの大きさ及び面積はソーラーセルの発電に満足する透過光量が得られる大きさになっている。
【００３６】
金属板１２に設ける開口部１２ａは、板厚が薄いことからエッチング方法で形成する。開口部１２ａ以外の部分にレジスト膜を形成し、レジスト膜の付いていない開口部の部分を塩化第二鉄のエッチング液（４０〜６０°Ｃに加温して）でエッチングして形成する。エッチング後にレジスト膜を剥離すると開口部１２ａが形成された金属板１２が得られる。尚、塩化第二鉄のエッチング液に塩酸を少量加えるとエッチング速度を速めることができる。
【００３７】
金属板１２の上面１２ｂに形成する旭光目付は、ワイヤー回転ブラシを用い、目付装置を用いて金属板１２を回転させながら回転ブラシを当てると旭光目付が施される。また、金属板１２の下面に形成する梨地模様はサンドブラスト法やホーニング法などで形成する。サンドブラスト法はサンドブラスト装置を用いて砂を高圧力の下で吹き付けて形成する。また、ホーニング法はホーニング装置を用いてガラスビーズ等を高圧力（２気圧〜４気圧）の下で吹き付けて形成する。砂やガラスビーズを高圧力下で金属板に吹き付けると金属板が叩かれ、金属板に微小な凹凸が発生して梨地模様が形成される。凹凸の粗さは砂やガラスビーズの粒子の大きさなどによって決まる。
【００３８】
透過性反射板１３は１３０μｍ厚みの反射型偏光板を用いている。反射型偏光板は、図３に示すように、反射軸Ｎと透過容易軸Ｍを有していて、反射軸Ｎと平行な振動面を持つ直線偏光成分は反射し、透過容易軸Ｍと平行な振動面を持つ直線偏光成分は透過する特性を持っている。また、約５０％の光を透過し、約５０％の光を反射する特性を持っている。本実施例１では、住友３Ｍ社製の商品名ＤＢＥＦを用い、光沢のある銀色（シルバー色）を呈する強い反射光を得ている。この反射型偏光板には銀色の他に金色を呈する反射光が得られるものもある。
【００３９】
以上の構成を取った表示板２０は、旭光模様を持ち、銀色を呈して装飾性の富んだ貴金属感の現れた表示板が得られる。また、金属板１２に設けた時字からなる開口部１２ａは、銀色の反射光が得られる透過性反射板１３の作用を受けて殆ど目立たず、違和感が感じられないものとなっている。また、金属板１２に設けた旭光模様は、２５０μｍと厚みのある光透過性基板１１の底部に視認されることから、視認される旭光模様は深みのある重厚さを感じさせる模様として感じられてくる。また、光透過性基板１１に設けた切分目盛り１１ｅは金属板１２とに２５０μｍの段差があるために立体感を感じさせる如くに見えてくる。また、金属板１２の下面に微小な凹凸からなる梨地の拡散層を設けていることにより、ソーラーセルからの反射光がこの拡散層で再び反射・拡散されてソーラーセルに入射する。光の利用効率が上がり効果的に発電に寄与する。また、ソーラーセルの濃紫色は銀色の反射光が得られる透過性反射板１３の影響を受けて濃紫色色調は和らぎ、殆ど濃紫色色調は見えてこなくなる。また、表示板２０の総厚も略５００μｍ位の厚みとなっており、時計組み込み上何ら支障を及ぼさない。
【００４０】
本実施例１においては、光透過性基板１１はポリカーボネイト樹脂の材料を用いて形成したが、ポリカーボネイト樹脂に限るものではなく、ポリエチレン樹脂、ポリプロピレン樹脂、ポリスチレン樹脂、ポリエチレンテレフタレート樹脂、アクリル樹脂などの材料を用いて形成しても良いものである。また、切分目盛りなる指標１１ａを光透過性基板１１の上面側に設けたが、下面側に設けることも可能である。その場合は、指標と金属板１２に形成した旭光模様とは平面的な配置になる。
【００４１】
また、本実施例１においては、金属板１２の下面１２ｃに微小な凹凸の梨地からなる拡散層を設けた構成を取っているが、梨地以外の方法として、透明なアクリル樹脂やエポキシ樹脂、ウレタン樹脂などの樹脂に酸化シリコン粉末などの拡散粒子を分散させた塗膜などを拡散層として用いても同じ効果が現れる。
【００４２】
また、本実施例１においては、透過性反射板１３に反射型偏光板を用いたが、ポリエチレンテレフタレート樹脂などの樹脂フィルムに真空蒸着法などで銀金属の金属薄膜を形成して、透過性と反射性の両方の機能を持たせたものでも透過性反射板として用いることができる。この場合、８０Å〜１００Åの範囲の厚みに形成すれば光沢は得られないもののシルバー色に色付いた金属色が得られ、また、光透過率も５０〜６０％の透過率が得られる。
【実施例２】
【００４３】
次に、本発明の実施例２に係る時計用表示板について図４を用いて説明する。図４は本発明の実施例２に係る時計用表示板の平面図と断面図を示しており、図４の（ａ）は平面図、図４の（ｂ）は要部断面図を示している。
【００４４】
本発明の実施例２に係る時計用表示板３０は、図４に示すように、開口部２２ａを設けた金属板２２と透明な光透過性基板２１と透過性反射板２３とを積層して、この３つの構成部品をそれぞれ接着剤を介して貼合わせた構造を取っている。尚、図示はしていないが表示板３０の下面側にはソーラーセルが配設されている。
【００４５】
金属板２２は１５０μｍ厚みの黄銅板や洋白板、リン青銅板を用いて形成し、中心穴周りの領域にほぼ等間隔に複数の円形状の開口部２２ａを設けている。この開口部２２ａの総面積はソーラーセルの発電に支障のない光透過率が得られるような面積に設定している。開口部２２ａはプレス抜き加工によって形成する。また、この金属板２２はその上面２２ｂに縦のペーパー目付を施してあり、更に、その表面に電解メッキによる金メッキ被膜を設けていて、更にその上にクリヤー塗膜を設けている。このクリヤー塗膜は少し厚めに形成して上面を研磨して光沢のある平滑面に仕上げている。これにより、金属板２２は装飾に富んで貴金属感のする金属板に仕上がっている。また、この金属板２２は外周縁部近くに時字を示す金属からなる指標２２ｄを接着剤を介して設けており、更に、黒色の切分目盛り２２ｅを一周に渡って設けている。ここでの指標２２ｄは電鋳メッキ方法で２０〜４０μｍの厚みに形成したもので、表面には銀やパラジウム、ロジウムなどの金属による金属メッキを施したものになっている。アクリル樹脂接着剤やエポキシ樹脂接着剤、或いは、粘着剤でもって金属板に貼付けている。切分目盛り２２ｅは黒色インクを用いてスクリーン印刷やパッド印刷などの公知の印刷方法で５〜１０μｍの厚みに形成している。
【００４６】
光透過性基板２１は、２５０μｍ厚みの透明なポリカーボネイト樹脂の板から形成しており、上面には装飾膜２１ｂを設けている。この装飾膜２１ｂは、金属板２２と同系色を取る薄い金色色調を示す塗膜から形成して、金属板２２の開口部２２ａを目立たなくさせるために設けている。また、同時に、全体的に金色色調が得られるように装飾性を高める目的で設けている。この装飾膜２１ｂは透過性を必要とすることから、金または銅、銅合金の金属粉末を透明なアクリル樹脂やエポキシ樹脂、ウレタン樹脂などの樹脂に僅かの量（０．２〜１．０重量％）を混ぜ合わせて形成したインクを用いて、スクリーン印刷やパッド印刷などの公知の印刷方法で薄い厚み（５〜１０μｍ）でもって形成している。光透過率として約７０％に近いものが得られ、そして、薄い金色を呈している。
【００４７】
透過性反射板２３は、実施例１と同様に、１３０μｍ厚みの反射型偏光板を用いているが、本実施例２においては、金色を呈する反射光が得られる反射型偏光板を用いている。
【００４８】
以上のような構成を取った表示板３０は、金色を呈してペーパ目付の装飾が視認され、更に、指標２２ｄが白色系の金属色を呈することから、表示板３０の金色なる地色とのコントラストが高まって指標２２ｄが鮮明に視認されると共に、全体的に貴金属感が現れて高級感の現れた表示板となる。また、金属板２２の開口部２２ａは、光透過性基板２１の薄い金色を呈する装飾膜２１ｂと金色の反射光が得られる透過性反射板２３との影響を受けて余り目立たない状態になって、外観的な違和感は殆ど感じられなくなる。また、ソーラーセルの濃紫色も透過性反射板２３と装飾膜２１ｂの影響を受けて殆ど視認されない。また、金属板２２は１５０μｍの厚みのものを使用することで、開口部２２ａをプレス加工で形成することができ、製造コストも安くすることができる。また、表示板３０の総厚は約５７０〜５８０μｍの厚みになっており、時計組み込み上何ら支障を及ぼさない。
【００４９】
本実施例２においては、光透過性基板２１はポリカーボネイト樹脂の材料を用いて形成したが、ポリカーボネイト樹脂に限るものではなく、ポリエチレン樹脂、ポリプロピレン樹脂、ポリスチレン樹脂、ポリエチレンテレフタレート樹脂、アクリル樹脂などの材料を用いて形成しても良く、また、透明なガラスやサファイヤガラスなどを用いて形成しても良いものである。
【００５０】
また、本実施例２においては、光透過性基板２１の上面に設けた装飾膜２１ｂは金または銅、銅合金などの金属粉末を用いたインクで形成したが、これは金色と同系色の色であれば良いので、顔料などを混ぜ合わせて金色系の色調が現れるインクであれば金属粉末を用いたインクに代えることも可能である。また、金や銅、銅合金の金属を用いて真空蒸着法やスパッタリング法などの乾式メッキ方法で透過性のある金金属薄膜を形成して装飾膜としても何ら支障はない。
【００５１】
また、本実施例２においては、透過性反射板２３に反射型偏光板を用いたが、ポリエチレンテレフタレート樹脂などの樹脂フィルムに、金金属を用いて真空蒸着法やスパッタリング法などの乾式メッキ方法で金属薄膜を形成して、透過性と反射性の両方の機能を持たせたものでも透過性反射板として用いることができる。
【実施例３】
【００５２】
次に、本発明の実施例３に係る時計用表示板について図５を用いて説明する。図５は本発明の実施例３に係る時計用表示板の平面図と断面図を示しており、図５の（ａ）は平面図、図５の（ｂ）は要部断面図を示している。
【００５３】
本発明の実施例３に係る時計用表示板４０は、図５に示すように、薄く白色を呈する光透過性基板３１と開口部３２ａを設けた金属板３２と下面側に拡散層３３ｃを設けた透過性反射板３３とを積層して、この３つの構成部品をそれぞれ接着剤を介して貼合わせた構造を取っている。尚、図示はしていないが表示板４０の下面側にはソーラーセルが配設されている。
【００５４】
光透過性基板３１は、２５０μｍ厚みの透明なポリカーボネイト樹脂に白色顔料を分散させた樹脂の板から形成しており、上下面は微小な凹凸のある凹凸模様（梨地模様）が形成されている。この凹凸模様は光散乱層の働きをなしている。また、外周周縁には、金属からなり時字を示す指標３１ｄが接着剤を介して貼り付けてあり、更に、金色色調を持った切分目盛り３１ｅを印刷方法で形成してある。透明なポリカーボネイト樹脂に白色顔料を１〜３重量％配合してペレット化し、射出成形機を用いて射出成形方法で形成する。このとき同時に、上下面の凹凸模様は成形金型から転写して形成する。このようにして形成した光透過性基板３１は約７０％程度の透過率が得られ、薄い白色色調を持って視認される。金属からなる指標３１ｄはフォトレジスト、フォトエッチング方法と電鋳メッキ方法で２０〜４０μｍの厚みに形成している。表面は金メッキを施してあり、光沢の現れた金色を呈している。切分目盛り３１ｅは、指標３１ｄと同一系色にするために、金または銅、銅合金の金属粉末を透明なアクリル樹脂やエポキシ樹脂、ウレタン樹脂などの樹脂に混ぜ合わせて形成したインクを用いて、スクリーン印刷やパッド印刷などの公知の印刷方法で形成している。このような構成を取った光透過性基板３１は薄い白色色調を持って高い透過率を有する。
【００５５】
金属板３２は１００μｍ厚みの黄銅板またはリン青銅板を用い、エッチング方法で中心穴周りの領域に複数の正方形形状からなる開口部３２ａを格子状に設けている。また、この金属板３２の上面３２ｂは、微小な凹凸を放射状に形成しての旭光模様を設けており、更にその上に、薄いブルー色を持つ塗膜を設けてある。開口部３２ａは、板厚が薄いことからエッチング方法で形成する。開口部３２ａ以外の部分にレジスト膜を形成し、レジスト膜の付いていない開口部の部分を塩化第二鉄のエッチング液（４０〜６０°Ｃに加温して）でエッチングして形成する。エッチング後にレジスト膜を剥離すると開口部３２ａが形成された金属板３２が得られる。開口部３２ａの総面積はソーラーセルの発電に支障のない光透過率が得られるような面積に設定している。また、上面３２ｂに設ける旭光模様は、ワイヤー回転ブラシを用い、目付装置を用いて金属板３２を回転させながら回転ブラシを当てると旭光目付が施され、旭光模様ができあがる。薄いブルー色の塗膜は、透明なアクリル樹脂やエポキシ樹脂、ウレタン樹脂などの樹脂にブルー顔料を僅かの量混ぜ合わせて形成したインク、或いは、塗料を用いて、印刷方法や吹付け塗装方法などで形成する。
【００５６】
透過性反射板３３は反射型偏光板に拡散層３３ｃを設けたものからなっている。反射型偏光板は前述の実施例１で用いたものと同じ仕様のもの、即ち、反射光が銀色を呈する反射型偏光板を用いている。この反射型偏光板の下面に拡散層３３ｃを形成して透過性反射板３３としている。拡散層３３ｃは、透明なアクリル樹脂やエポキシ樹脂、ウレタン樹脂などの樹脂に酸化シリコン粉末などの拡散粒子を混ぜ合わせてインク化し、スクリーン印刷やパッド印刷などの印刷方法で印刷して形成する。この拡散層３３ｃはソーラーセルからの反射光を拡散して、再びソーラーセルに向かって反射させるために設けている。尚、本実施例３では拡散粒子として酸化シリコン粉末を用いたが、それに限るものではなく、酸化チタン粉末、酸化亜鉛粉末などの反射粒子を用いても拡散と反射が起きるので同じ効果を得ることができる。
【００５７】
以上の構成を取った表示板４０は、光透過性基板３１の薄い白色色調、及び、凹凸模様からなる散乱層と金属板３２の薄いブルー色塗膜の影響を受けて非常に淡い水色のような色調が現れてくる。そして、その色調の中で旭光模様が比較的はっきりと視認されてくる。また、格子状に形成した開口部３２ａの部分は、ソーラーセルの濃紫色は透過性反射板３３の反射する銀色によって和らげられ、更に、光透過性基板３１の薄い白色と凹凸模様なる拡散層によって、ソーラーセルの濃紫色は殆ど消し去られてしまうと共に、白色気味の色調を持った格子模様として視認されてくる。このように、旭光模様と格子模様などが視認されるようになり、装飾性の富んだ表示板を得ることができる。そして、デザインバリエーションも広げられる。
【実施例４】
【００５８】
次に、本発明の実施例４に係る時計用表示板について図６を用いて説明する。図６は本発明の実施例４に係る時計用表示板の平面図と断面図を示しており、図６の（ａ）は平面図、図６の（ｂ）は要部断面図を示している。
【００５９】
本発明の実施例４に係る時計用表示板５０は、図６に示すように、開口部４２ａを設けた金属板４２と下面に薄い白色の塗膜を持った光透過性基板３１と透過性反射板３３とを積層して、この３つの構成部品をそれぞれ接着剤を介して貼合わせた構造を取っている。尚、図示はしていないが表示板５０の下面側にはソーラーセルが配設されている。
【００６０】
金属板４２は１００μｍ厚みの黄銅板や、洋白板、リン青銅板を用いて形成し、中心穴周りの領域にほぼ等間隔に複数の正方形形状からなる開口部４２ａを格子模様状に設けている。この開口部４２ａの総面積はソーラーセルの発電に支障のない光透過率が得られるような面積に設定している。開口部４２ａはエッチング方法によって形成する。これは、開口部４２ａ以外の部分にレジスト膜を形成し、レジスト膜の付いていない開口部の部分を塩化第二鉄のエッチング液（４０〜６０°Ｃに加温して）でエッチングし、その後にレジスト膜を剥離すると開口部４２ａが形成された金属板が得られる。この金属板４２の上面は、微小な凹凸を放射状に形成しての旭光模様を設けており、更にその上に、電解メッキによる金メッキを施している。そして、その表面全面に渡ってクリヤー塗膜を設けている。旭光模様は、ワイヤー回転ブラシを用い、目付装置を用いて金属板を回転させながら回転ブラシを当てると旭光目付が施される。また、金属板４２には、外周縁部近くに時字を示す１、２、３、・・・のアラビア数字からなる金属の指標４２ｄを接着剤を介して設けており、更に、黒色の切分目盛り４２ｅを一周に渡って設けている。金属の指標４２ｄは電鋳メッキ方法で２０〜４０μｍの厚みに形成したもので、表面には電解メッキ法で金メッキを施したものになっている。切分目盛り４２ｅは黒色インクを用いてスクリーン印刷やパッド印刷などの公知の印刷方法で５〜１０μｍの厚みに形成している。
【００６１】
光透過性基板４１は、２００μｍ厚みの透明なホウケイ酸ガラス板から形成しており、その下面に薄い白色の塗膜４１ｃを形成したものからなっている。白色の塗膜４１ｃは、透明なアクリル樹脂やウレタン樹脂などに白色顔料を略５〜７重量％配合して塗料化、またはインク化し、吹付け塗装方法や印刷方法などで５〜１０μｍ位の厚みに形成する。このようにして形成した塗膜４１ｃは７０〜８０％近くの透過率が得られると共に、薄い白色の色調を呈するようになる。この白色の塗膜４１ｃは、ソーラーセルの濃紫色を和らげると共に、開口部４２ａの模様付けを違和感なく視認できるようにするために設けるものである。
【００６２】
透過性反射板４３は、前述の実施例１で用いた反射型偏光板と同じ仕様のもの、即ち、銀色を呈する反射光が得られる反射型偏光板を用いている。
【００６３】
以上のような構成を取った表示板５０は、金色を呈して旭光目付模様のある中に白色気味の格子模様が現れて装飾性が高められると共に貴金属感が現れた表示板になる。そして、新たに一つのデザインバリエーションを得る。ソーラーセルの濃紫色は透過性反射板４３や白色塗膜４１ｃの作用を受けて殆ど消し去られて視認することができない。また、表示板５０の総厚は４５０〜５００μｍの厚みになり、時計組み込み上何ら支障を及ぼさない。
【実施例５】
【００６４】
次に、本発明の実施例５に係る時計用表示板について図７、図８、図９を用いて説明する。図７は本発明の実施例５に係る時計用表示板の平面図と断面図を示しており、図７の（ａ）は平面図、図７の（ｂ）は要部断面図を示している。また、図８は図７における表示板を中枠に取付けたときの平面図と断面図を示しており、図８の（ａ）は平面図、図８の（ｂ）は要部断面図を示している。また、図９は図８における表示板と中枠を時計内に組込んだときの要部断面図を示している。
【００６５】
最初に、本発明の実施例５に係る時計用表示板６０について図７を用いて説明する。図７に示すように、本発明の実施例５に係る時計用表示板６０は透明な光透過性基板５１と開口部５２ａを設けた金属板５２と透過性反射板５３とから構成される。図７の（ｂ）において、これら３つの構成部品、即ち、光透過性基板５１、金属板５２、透過性反射板５３とを積み重ねて一体的に描いてあるが、それぞれ単独で作られ、後述する組込み時に重ね合わせて用いられる。ここでの説明は、重ね合わせられたときにおける作用、効果などについて説明する。尚、図示はしていないが表示板６０の下面側にはソーラーセルが配設される。
【００６６】
光透過性基板５１は、２００μｍ厚みの透明なポリカーボネイト樹脂の板から形成しており、平滑面に仕上げられた上面の外周周縁には、金属からなり時字を示す指標５１ｄが接着剤を介して貼り付けてあり、更に、金色色調を持った切分目盛り５１ｅを印刷方法で形成してある。また、外周縁の左右２カ所に外側に向かって突出したフック５１ｇを持っており、そのフック５１ｇのほぼ中央に切欠け５１ｈを持っている。このような構成を取る光透過性基板５１はポリカーボネイト樹脂を用いて射出成形によって形成する。金属からなる指標５１ｄはフォトレジスト、フォトエッチング方法と電鋳メッキ方法で２０〜４０μｍの厚みに形成している。表面は金メッキを施してあり、光沢の現れた金色を呈している。切分目盛り５１ｅは、指標５１ｄと同一系色にするために、金または銅、銅合金の金属粉末を透明なアクリル樹脂やエポキシ樹脂、ウレタン樹脂などの樹脂に混ぜ合わせて形成したインクを用いて、スクリーン印刷やパッド印刷などの公知の印刷方法で形成している。
【００６７】
金属板５２は３００μｍ厚みの黄銅板またはリン青銅板を用いて形成している。中心穴の近い領域にサークル状に同心円からなる複数の凹溝５２ｆを設けており、この複数の凹溝５２ｆの内側と外側に、同じ同心円形状で複数の開口部５２ａを設けている。図７において、同心円なる凹溝５２ｆが複数設けていて、その内側と外側に同じ同心円形状で一周８個の開口部５２ａを設けている。従って、複数の凹溝５２ｆによるサークル模様と複数の開口部５２ａでもって形成される模様との２つの模様が形成されていることになる。この開口部５２ａの総面積はソーラーセルの発電に支障のない光透過率が得られるような面積に設定している。また、この金属板５２の上面は微小な凹凸のある梨地を施して梨地模様を設けている。そして更に、表面に電解メッキ方法でニッケルメッキと銀メッキを施して、表面を銀色に仕上げている。尚、この金属板５２も、光透過性基板５１と同様に、外周縁の左右２カ所に外側に向かって突出したフックと、そのフックのほぼ中央に切欠けを、光透過性基板５１のものと同一形状・同一大きさでもって設けている。この金属板５２は、板材をコイニング金型を用いてコイニング方法で複数のサークル状の凹溝５２ｆを形成する。凹溝５２ｆの深さは５０〜１００μｍの範囲で形成する。その後、抜型を用いて外形抜き、開口部５２ａ抜きを行って外形の形状や開口部５２ａを形成する。
【００６８】
透過性反射板５３は、実施例１と同様に、１３０μｍ厚みの反射型偏光板を用いている。そして、その反射光は銀色を呈する。また、この透過性反射板５３は、光透過性基板５１と同様に、外周縁の左右２カ所に外側に向かって突出したフックと、そのフックのほぼ中央に切欠けを、光透過性基板５１のものと同一形状・同一大きさでもって設けている。これは、金型を用いてプレス抜き方法で形成する。
【００６９】
以上の構成を取った光透過性基板５１、反射板５２、透過性反射板５３を重ね合わせて構成した表示板６０は、金属板５２に設けた梨地模様と、凹溝５２ｆからなるサークル模様と、開口部５２ａからの反射光によって視認されてくる模様との３つの模様が現れる。また、表示板６０としての色調は銀メッキと梨地面によって落ち着きのある銀色調が視認され、金色調の指標５１ｄと切分目盛り５１ｅとが鮮明に視認されるようになる。そして、透明な光透過性基板５１の作用を受けて、反射板５２に設けた模様に沈みが現れて重厚さを感じさせるようになり、装飾性の豊かさと、貴金属感と、重厚さも伴って高級感を感じさせる表示板となる。また、ソーラーセルの濃紫色は透過性反射板５３からの銀色を呈する反射光の作用を受けて消し去られ、濃紫色は視認されない。また、表示板６０に３つの模様が現れてくることによって新たなデザインバリエーションが得られる。また、表示板６０の総厚は６３０μｍの厚みとなり、時計組み込み上何ら支障を及ぼさない。
【００７０】
次に、上記の構成を取った光透過性基板５１、反射板５２、透過性反射板５３の時計への組付け方を図８、図９に基づいて説明する。図８に示すように、中枠６３の左右両側に設けた２カ所の切欠部６３ａと突出ピン６３ｂに、透過性反射板５３の２カ所のフックと切欠けを合わせて挿嵌する。同様に、反射板５２、光透過性基板５１を順次重ね合わせながら挿嵌することによって、中枠６３にそれぞれ位置決めされて固定される。中枠６３はプラスチック材よりなって弾力性を持っている。これによって、中枠６３に光透過性基板５１、反射板５２、透過性反射板５３が重なり合って固定される。尚、中枠６３への組付けは、ムーブメント６２とソーラーセル６９を中枠６３に組付けた後に行う。
【００７１】
時計への組付けは、図９に示すように、中枠６３にムーブメント６２、ソーラーセル６９、透過性反射板５３、金属板５２、光透過性基板５１を組付けた後に、長針や短針などの指針６５をムーブメント６２の中心から突出した指針軸６２ａに挿嵌して組付ける。次に、防水パッキン６７を介して風防ガラス６６を固定した時計ケース６１の内部に中枠６３を挿嵌する。そして、最後に裏蓋６４を時計ケース６１に組付ける。このとき、裏蓋６４を組付けたときに裏蓋６４の裏面に設けてある凸部が中枠６３を押し上げ、それによって、ムーブメント６２、重ね合わせられた表示板６０が上方に押し上げられ、表示板６０が時計ケース６１の内周側に突出して見返し面を成す突出部６１ａの下面に当接して表示板６０が時計ケース６１内で固定され、併せてムーブメント６２も固定されるようになっている。このようにして、透過性反射板５３、金属板５２、光透過性基板５１の３つの構成部品からなる表示板６０は中枠６３を介して時計内に固定される。
【００７２】
本実施例５においては、表示板６０を構成する３つの構成部品、即ち、透過性反射板５３と金属板５２と光透過性基板５１とを中枠６３を介して重ね合わせて固定する方法を用いたが、接着剤や粘着剤を用いて３つの構成部品を各々接着し、重ね合わせて一体化して用いても全く支障はない。
【００７３】
また、本実施例５においては、凹溝を同心円状に複数設けてサークル模様を形成した。これは、サークル模様に限らず色々な模様を形成することができる。例えば、格子模様、ピアジカット模様、幾何学模様、網目模様などに形成することも可能である。複数の開口部からなる模様と全く別な模様を付加することができるので、装飾性を高めると同時にデザインバリエーションを豊富に設けることができる。
【実施例６】
【００７４】
次に、本発明の実施例６に係る時計用表示板について図１０を用いて説明する。図１０は本発明の実施例６に係る時計用表示板の平面図と断面図を示しており、図１０の（ａ）は平面図、図１０の（ｂ）は要部断面図を示している。
【００７５】
本発明の実施例６に係る時計用表示板７０は、図１０に示すように、開口部４２ａを設けた金属板７２と上面に拡散層７１ｃを持った光透過性基板７１と透過性反射板７３とを積層して、この３つの構成部品をそれぞれ接着剤を介して貼合わせた構造を取っている。尚、図示はしていないが表示板７０の下面側にはソーラーセルが配設されている。
【００７６】
金属板７２は１５０μｍ厚みの黄銅板や、洋白版、リン青銅板を用いて形成し、中心穴周りの領域にほぼ等間隔に複数の円形状の開口部７２ａを設けている。この開口部７２ａの総面積はソーラーセルの発電に支障のない光透過率が得られるような面積に設定している。開口部７２ａはプレス抜き加工によって形成する。また、この金属板７２はその上面７２ｂに放射状の旭光目付模様を施してあり、更に、その表面に電解メッキによるロジウムメッキ被膜を設けていて、更にその上にクリヤー塗膜を設けている。このクリヤー塗膜は少し厚めに形成して上面を研磨して光沢のある平滑面に仕上げている。これにより、金属板７２は装飾に富んで貴金属感のする金属板に仕上がっている。また、この金属板７２は、外周縁部近くに時字を示す金属からなる指標７２ｄを接着剤を介して設けており、更に、黒色の切分目盛り７２ｅを一周に渡って設けている。ここでの指標７２ｄは電鋳メッキ方法で２０〜４０μｍの厚みに形成したもので、表面にはロジウム金属による金属メッキを施したものになっている。アクリル樹脂接着剤やエポキシ樹脂接着剤、或いは、粘着剤でもって金属板に貼付けている。切分目盛り７２ｅは黒色インクを用いてスクリーン印刷やパッド印刷などの公知の印刷方法で５〜１０μｍの厚みに形成している。
【００７７】
光透過性基板７１は、２５０μｍ厚みの透明なポリカーボネイト樹脂の板から形成しており、上面には拡散層７１ｃを設けている。この拡散層７１ｃは、透明なシリカ微粒子を透明なアクリル樹脂やエポキシ樹脂、ウレタン樹脂などの樹脂に混ぜ合わせて形成したインク、或いは塗料を用いて、スクリーン印刷などの公知の印刷方法やエアー吹付け塗装などの公知の塗装方法でもって１０〜２０μｍの厚みでもって形成している。
【００７８】
透過性反射板７３は、実施例１と同様に、１３０μｍ厚みの、光沢のある銀色を呈する反射光が得られる反射型偏光板を用いている。
【００７９】
以上の構成を取った表示板７０は、旭光模様を持ち、ロジウムメッキ仕上げによって白色系の金属色を呈して装飾性の富んだ貴金属感の現れた綺麗な表示板が得られる。また、金属板７２の下面側に設けた光透過性基板７１に透明な拡散層７１ｃを設けてあることによって、ソーラーセルからの濃紫色を呈する反射光が透過性反射板７３を透過したときにその色調が和らげられ、更に、拡散層７１ｃを透過する時に光拡散が生じるのでソーラーセルの濃紫色は殆ど消し去られて目に視認されない。また、ソーラーセルの反射光がこの拡散層７１ｃによって拡散されたとき、その拡散された一部の光が再びソーラーセルに向かって放射される。そして、再び透過性反射板７３を透過してソーラーセルに入射する。これによって、光の利用効率が上がり効果的に発電に寄与する。
【００８０】
尚、本実施例６においては、光透過性基板７１は上面に拡散層７１ｃを設けてあるが、これは、下面に拡散層を設けて光透過性基板を構成しても同じ効果を持つものである。また、拡散層を透過性反射板の上面に設けた構成を取っても同じ効果を持つものである。
【図面の簡単な説明】
【００８１】
【図１】本発明の実施形態に係る時計用表示板の平面図と断面図で、図１の（ａ）は平面図、図１の（ｂ）は図１の（ａ）における要部断面図である。
【図２】本発明の実施例１に係る時計用表示板の平面図と断面図で、図２の（ａ）は平面図、図２の（ｂ）は要部断面図である。
【図３】図２の（ｂ）における透過性反射板の斜視図である。
【図４】本発明の実施例２に係る時計用表示板の平面図と断面図で、図４の（ａ）は平面図、図４の（ｂ）は要部断面図である。
【図５】本発明の実施例３に係る時計用表示板の平面図と断面図で、図５の（ａ）は平面図、図５の（ｂ）は要部断面図である。
【図６】本発明の実施例４に係る時計用表示板の平面図と断面図で、図６の（ａ）は平面図、図６の（ｂ）は要部断面図である。
【図７】本発明の実施例５に係る時計用表示板の平面図と断面図で、図７の（ａ）は平面図、図７の（ｂ）は要部断面図である。
【図８】図７における表示板を中枠に取付けたときの平面図と断面図で、図８の（ａ）は平面図、図８の（ｂ）は要部断面図である。
【図９】図８における表示板と中枠を時計内に組込んだときの要部断面図である。
【図１０】本発明の実施例６に係る時計用表示板の平面図と断面図で、図１０の（ａ）は平面図、図１０の（ｂ）は要部断面図である。
【符号の説明】
【００８２】
１、１１、２１、３１、４１、５１、７１    光透過性基板  
１ｄ、２２ｄ、３１ｄ、４２ｄ、５１ｄ、７２ｄ    指標
２、１２、２２、３２、４２、５２、７２    金属板  
２ａ、１２ａ、２２、３２ａ、４２ａ、５２ａ、７２ａ    開口部
３、１３、２３、３３、４３、５３、７３    透過性反射板  
９、６９      ソーラーセル
１０、２０、３０、４０、５０、６０、７０    時計用表示板
１１ｅ、２２ｅ、３１ｅ、４２ｅ、５１ｅ、７２ｅ    切分目盛り
１２ｂ、２２ｂ、３２ｂ、７２ｂ    上面
１２ｃ    下面
２１ｂ    装飾膜
３３ｃ、７１ｃ    拡散層
４１ｃ    塗膜
５１ｇ    フック
５１ｈ    切欠け
５２ｆ    凹溝
６１      時計ケース
６２      ムーブメント
６３      中枠
６３ａ    切欠部
６３ｂ    突出ピン
６４      裏蓋
６５      指針
６５      風防ガラス
６７      防水パッキン
【図１】
2006220516.tif 000003
【図２】
2006220516.tif 000004
【図３】
2006220516.tif 000005
【図４】
2006220516.tif 000006
【図５】
2006220516.tif 000007
【図６】
2006220516.tif 000008
【図７】
2006220516.tif 000009
【図８】
2006220516.tif 000010
【図９】
2006220516.tif 000011
【図１０】
2006220516.tif 000012